(57)【要約】【課題】避難者が油断して足またはアームを係止されることが回避可能で、安全性と安定性とが向上する螺旋式避難用滑り台の構造を提供する。【解決手段】メン円柱１を有し、メン円柱１には等距離に螺旋状に配列されて放射状に伸びる多数の支持板１１が設けられる。メン円柱１の周囲には同心に配列された多数の裏側支持柱１２と外側支持柱１３とが設けられる。各裏側支持柱１２と外側支持柱１３とメン円柱１との間には、別々に裏側支持枠と外側支持枠１３１とが設けられる。各裏側支持柱１２の間には多数の裏側環状枠１４が設けられる。各裏側環状枠１４は等間隔で水平に設けられる。各外側支持柱１３の間にも多数の外側環状枠１５が設けられる。各外側環状枠１５は等間隔で水平に設けられる。各支持板１１の裏側環状枠１４と外側環状枠１５の間の処では滑り通路２が設けられる。【選択図】　図１
0003097683.tif 000002
【実用新案登録請求の範囲】
【請求項１】
メン円柱を有し、
前記メン円柱には、等距離を置いて螺旋状に配列し放射状に伸びる多数の支持板が設けられ、前記メン円柱の周囲には、同心に配列された多数の裏側支持柱と外側支持柱とが設けられ、
前記各裏側支持柱と外側支持柱とメン円柱との間には、別々に裏側支持枠と外側支持枠とが設けられ、
前記各裏側支持柱の間には多数の裏側環状枠が設けられ、
前記各裏側環状枠は別々に各支持板を貫通して設けられ、且つ前記各外側支持柱の間にも多数の外側環状枠が設けられ、
前記各支持板の裏側環状枠と外側環状枠との間の処では滑り通路が設けられ、前記滑り通路は裏側環状枠と外側環状枠とに囲まれ、
建物に固定するように、前記各外側支持柱のなかの少なくとも二つには多数の固定枠が設けられ、
前記各裏側環状枠と外側環状枠とには、滑り通路へ水を噴出するための噴水器が等距離を置いて設けられていることを特徴とする螺旋式避難用滑り台の構造。
【請求項２】
前記噴水器に水を供給するためのタンクを有し、
前記タンクは並列に連通した多数の管路を有し、
前記各管路は別々に下に伸び各階に設けた噴水器へ水を供給し、水を滑り通路内へ噴出するように、各噴水器は別々に滑り通路の裏側面に連接されるノズルを有し、
予めに地下に埋めてある固定柱の頂端の接合座と結合して固定するように、前記各裏側支持柱と外側支持柱との底端は別々に結合座を有することを特徴とする請求項１記載の螺旋式避難用滑り台の構造。
【請求項３】
各外側環状枠と該当滑り通路の間にはギャップを有し、各支持板の前記滑り通路の傍から伸びる処には別々に踏み板が設けられ、
前記各踏み板が避難用の螺旋式段階を形成し、建物の各階の出口に対応して各外側環状枠には別々にドアを有し、
避難者が前記ドアを開けてから噴水器を噴水させるように、前記各ドアの傍には別々に噴水器の開閉を制御するためのスイッチが設けられていることを特徴とする請求項１記載の螺旋式避難用滑り台の構造。
【考案の詳細な説明】
【０００１】
【考案の属する技術分野】
この考案は螺旋式避難用滑り台の構造に係り、特に裏側支持柱と外側支持柱の間には別々に多数の裏側環状枠と外側環状枠とが設けられており、且つ側面から水を噴出するためのノズルを有する螺旋式避難用滑り台の構造に関する。
【０００２】
【従来の技術】
図１０に示すのは、従来の螺旋式避難用滑り台であって、その主な構造は、トップカバー８１と、螺旋式滑り台８２と、メン円柱８３と、支持板８４と、裏側欄干８５と、外側欄干８６と、噴水器８７と、非常通路８８と、から構成されている。メン円柱８３の表面に設けられ、上から下へ螺旋状に分布した支持板８４は螺旋式滑り台８２を支持するために設けられ、且つ前記螺旋滑り台８２の裏側と外側とには別々に裏側欄干８５と外側欄干８６とを鉛直に挿入するための孔を設けており、なお、火災の際に水を螺旋式滑り台８２へ噴水し、螺旋式滑り台を潤滑するように、トップカバー８１の周縁には多数の噴水器８７が設けられている。
【０００３】
上記のような構造では、前記螺旋式滑り台８２は各支持板８４のメン円柱８３から遠ざかる側に設けられ、且つ各裏側欄干８５と外側欄干８６とは回転自在に孔に挿入しているため、前記裏側欄干８５と外側欄干８６とは螺旋式滑り台８２を支持するための力がなく、そして支持板８４の負荷を増加させ、すなわち、全体の螺旋式滑り台８２と裏側欄干８５と外側欄干８６との重量は全部に支持板８４によって支持し、且つその負荷は全部にメン円柱８３から遠ざかる側に加えられるので、その支持の強度は不足であり、避難者の体重を更に加えると、使用中に螺旋式滑り台８２が必ず揺れ続くため、安定的な支持が得られない。
【０００４】
また、前記各裏側欄干８５と外側欄干８６とは、等距離を置いて鉛直で回転自在に設けられているが、避難者が油断して足またはアームを前記各裏側欄干８５または外側欄干８６の間に入れると、怪我をする可能性が極めて高い。
【０００５】
また、噴水器８７はトップカバー８１の周縁に設けているだけなので、トップカバー８１から遠ざかる処の螺旋式滑り台８２では水によって潤滑することができなく、避難者の滑りは不順調である。
【０００６】
【考案が解決しようとする課題】
この考案の主な目的は、各裏側支持柱と外側支持柱との間にある多数の裏側環状枠と外側環状枠とが環状に設けられているため、避難者が油断して足またはアームを係止されることを回避することができ、また、各裏側環状枠は各支持板に貫通して設けられているので、裏側支持柱と外側支持柱と支持板とへの支持強度を向上することができるため、螺旋式避難用滑り台の使用の安全性と安定性とを向上することができる螺旋式避難用滑り台の構造を提供する。
【０００７】
この考案の次の目的は、全滑り通路に亘って外側環状枠に等距離に置いた多数の噴水器が設けられいるため、全滑り通路に亘って水による潤滑性が良くなるので、避難者の滑りが順調になる螺旋式避難用滑り台の構造を提供する。
【０００８】
【課題を解決するための手段】
請求項１記載の考案によると、メン円柱を有し、前記メン円柱には、等距離を置いて螺旋状に配列し放射状に伸びた多数の支持板が設けられており、且つ前記メン円柱の周囲には、同心に配列された多数の裏側支持柱と外側支持柱とが設けられており、前記各裏側支持柱と外側支持柱とメン円柱との間には、別々に裏側支持枠と外側支持枠とが設けられており、なお、前記各裏側支持柱の間には多数の裏側環状枠が設けられており、前記各裏側環状枠は別々に各支持板を貫通して設けられ、且つ前記各外側支持柱の間にも多数の外側環状枠が設けられており、前記各支持板の裏側環状枠と外側環状枠の間の処では滑り通路が設けられ、すなわち、前記滑り通路は裏側環状枠と外側環状枠とに囲まれ、なお、建物に固定するように、前記各外側支持柱のなかの少なくとも二つには多数の固定枠が設けられており、且つ前記各裏側環状枠と外側環状枠とには、滑り通路へ水を噴出するための噴水器が等距離を置いて設けられていることを特徴としている。
【０００９】
請求項２記載の考案によると、前記噴水器に水を供給するためのタンクを有し、前記タンクは並列に連通した多数の管路を有し、前記各管路は別々に下に伸び各階に設けた噴水器へ水を供給し、且つ水を滑り通路内へ噴出するように、各噴水器は別々に滑り通路の裏側面に連接されたノズルを有し、なお、予めに地下に埋めた固定柱の頂端の接合座と結合して固定するように、前記各裏側支持柱と外側支持柱との底端は別々に結合座を有することを特徴としている。
【００１０】
請求項３記載の考案によると、各外側環状枠と該当滑り通路の間にはギャップを有し、且つ各支持板の前記滑り通路の傍から伸びた処には別々に踏み板が設けられており、前記各踏み板が避難用の螺旋式段階を形成し、且つ建物の各階の出口に対応して各外側環状枠には別々にドアを有し、避難者が前記ドアを開けてから噴水器を噴水させるように、前記各ドアの傍には別々に噴水器の開閉を制御するためのスイッチが設けられていることを特徴としている。
【００１１】
【考案の実施の形態】
図１から図６を参照する。上記図面に示したのは、この考案を説明するために挙げた一実施例の構造だけであり、この考案はこのような構造に制限されない。本考案の一実施例による螺旋式避難用滑り台の構造は、一メン円柱１を有し、前記メン円柱１には、等距離を置いて螺旋状に配列し放射状に伸びた多数の支持板１１が設けられており、且つ前記メン円柱１の周囲には、同心に配列された多数の裏側支持柱１２と外側支持柱１３とが設けられている。前記各裏側支持柱１２と外側支持柱１３とメン円柱１との間には、別々に一裏側支持枠１２１と一外側支持枠１３１とが設けられており、なお、前記各裏側支持柱１２の間には多数の裏側環状枠１４が設けられている。本実施例では、前記各裏側環状枠１４は等距離を置いて水平に設けられ、勿論、前記各裏側環状枠１４を螺旋状の形態にしてもよく、各裏側環状枠１４と支持板１１の強度を向上させるように、前記各裏側環状枠１４は別々に各支持板１１を貫通して設けられ、且つ前記各外側支持柱１３の間にも多数の外側環状枠１５が設けられている。本実施例では、前記各外側環状枠１５は等距離を置いて水平に設けられ、勿論、前記各外側環状枠１５を螺旋状の形態にしてもよく、且つ前記各支持板１１の裏側環状枠１４と外側環状枠１５の間の処では一滑り通路２が設けられ、すなわち、前記滑り通路２は裏側環状枠１４と外側環状枠１５とに囲まれ、且つ前記滑り通路２の断面はＵ字形を呈している。なお、建物３に固定するように、前記各外側支持柱１３のなかの少なくとも二つには多数の固定枠１６が設けられており、且つ前記各外側環状枠１５には、滑り通路２に亘って距離を置いて多数の噴水器４１が設けられている。前記各噴水器４１は別々に滑り通路２の裏側面を貫通した一ノズル４２を有し、前記ノズル４２で滑り通路２内へ水を噴出することにより、避難者の滑りの摩擦力が少なくなる。なお、噴水器４１に水を供給するためのタンク（図示せず）には並列に連接した多数の管路４３を有し、各管路４３は、別々に下へ伸び多数の階にある噴水器４１に水を供給する（図６参照）。
【００１２】
また、図７に示すように、工事を便利にするために、予めに地下に埋めた固定柱１７の頂端の一接合座１７１と結合して固定するように、前記各裏側支持柱１２と外側支持柱１３との底端は別々に一結合座１２２、１３２を有する。
【００１３】
各裏側支持柱１２にある各裏側環状枠１４は各支持板１１に貫通して設けられているので、裏側支持柱１２と裏側環状枠１４とはより高い支持強度で支持板１１を支持することができる。そうすると、各支持板１１に支持された滑り通路２はもっと安定になり、滑り通路２の揺れにより発生する安全問題を回避することもできる。また、各裏側支持柱１２と外側支持柱１３との間にある多数の裏側環状枠１４と外側環状枠１５とは環状に設けられているため、避難者が油断して足またはアームを裏側環状枠１４または外側環状枠１５に入っても、避難者が滑り通路２で滑りを続けると、足またはアームは自然に脱出することができるので、使用の安全性が高い。そして、全滑り通路２に亘って多数の噴水器４１が設けられており、且つノズル４２により水を滑り通路２内へ噴出するため、全滑り通路２に亘って水による潤滑性が良くなるので、避難者の滑りが順調になる。
【００１４】
勿論、上記構造の他に、滑り通路２の末端（すなわち、下方）で水回収装置（図示せず）を設置しても良く、これにより、水が循環に使用され、滑り通路２は使用中に充分な潤滑を保持することができる。
【００１５】
また、図８と図９に示すのは、他の実施例であって、各外側環状枠５５と該当滑り通路６の間には一ギャップを有し、且つ各支持板５１の前記滑り通路６の傍から伸びた処には別々に一踏み板５８が設けられている。前記各踏み板５８は避難用の一螺旋式段階を形成し、避難者が前記螺旋式段階を踏んで降りることができる。また、且つ建物の各階の出口に対応して各外側環状枠５５には別々に一ドア５９を有し、避難のときに、避難者が前記ドア５９を開けてから噴水器を噴水させるように、前記各ドア５９の傍には別々に噴水器の開閉を制御するための一スイッチ７が設けられている。
【００１６】
【考案の効果】
この考案は次のような効果がある。
（イ）各裏側支持柱と外側支持柱との間にある多数の裏側環状枠と外側環状枠とは環状に設けられているため、避難者が油断して足またはアームを係止されることを回避することができる。
【００１７】
（ロ）各裏側環状枠は各支持板に貫通して設けられているので、裏側支持柱と外側支持柱と支持板とへの支持強度を向上することができる。そのため、螺旋式避難用滑り台の使用の安全性と安定性とを向上することができる。
【００１８】
（ハ）全滑り通路に亘って外側環状枠に等距離を置いた多数の噴水器を設けている。そのため、全滑り通路に亘って水による潤滑性が良くなるので、避難者の滑りが順調になる。
【図面の簡単な説明】
【図１】本考案の一実施例による螺旋式避難用滑り台の全体構造を示す配置図である。
【図２】本考案の一実施例による螺旋式避難用滑り台の構造を示す平面概略図である。
【図３】本考案の一実施例によるメン円柱と支持板と滑り通路との構造を示す概略図である。
【図４】本考案の一実施例による螺旋式避難用滑り台の構造の一部を示す拡大概略図である。
【図５】本考案の一実施例による支持板と滑り通路と噴水器との配置を示す概略図である。
【図６】本考案の一実施例による水器に水を供給するための管路を示す配置図である。
【図７】本考案の一実施例による裏側支持柱と外側支持柱と固定柱との構造を示す概略図である。
【図８】本考案の他の実施例による踏み板から形成された螺旋式滑り台を示す外観概略図である。
【図９】本考案の他の実施例によるドアがオープン状態の螺旋式避難用滑り台の構造を示す平面図である。
【図１０】従来の螺旋式避難用滑り台の構造を示す概略図である。
【符号の説明】
１　　　　メン円柱
２　　　　滑り通路
３　　　　建物
６　　　　滑り通路
７　　　　スイッチ
１１　　　　支持板
１２　　　　裏側支持柱
１３　　　　外側支持柱
１４　　　　裏側環状枠
１５　　　　外側環状枠
１６　　　　固定枠
１７　　　　固定柱
４１　　　　噴水器
４２　　　　ノズル
４３　　　　管路
５１　　　　支持板
５５　　　　外側環状枠
５８　　　　踏み板
５９　　　　ドア
８１　　　　トップカバー
８２　　　　螺旋式滑り台
８３　　　　メン円柱
８４　　　　支持板
８５　　　　裏側欄干
８６　　　　外側欄干
８７　　　　噴水器
８８　　　　非常通路
１２１　　　裏側支持枠
１２２、１３２　　　　　結合座
１３１　　　　外側支持枠
１７１　　　　接合座
【図１】
0003097683.tif 000003
【図２】
0003097683.tif 000004
【図３】
0003097683.tif 000005
【図４】
0003097683.tif 000006
【図５】
0003097683.tif 000007
【図６】
0003097683.tif 000008
【図７】
0003097683.tif 000009
【図８】
0003097683.tif 000010
【図９】
0003097683.tif 000011
【図１０】
0003097683.tif 000012